(57)【要約】【課題】  この考案は軽量で速く吸収でき、規定の重量を保ち、一定の圧力を加えても、袋内の化学剤が出なく、且つ、未使用時は湿気の影響を受け難い湿気防止型吸水性土嚢袋を開発・提供する事にある。【解決手段】  袋の素材の枡目を一定の枡目に形成し、積み重ねた際にも摩擦度のある素材を用い、使用後も廃棄や焼却が簡単で、しかも、吸水性ポリマーが未使用時に湿気の影響を受け難くする為に、溶解し易い紙製袋或いは、周囲を溶け易い糊で糊付けした紙袋に吸水ポリマーを収納し、それを袋に入れて設けたものである。【選択図】  図５
0003128193.tif 000002
【実用新案登録請求の範囲】
【請求項１】
０．５〜１．５ミリメートル径の麻糸（１）を用い、該麻糸を１００平方センチメートル枠の中に、縦糸（或いは横糸）４０〜６５本用い、横糸（或いは縦糸）５０〜７０本用いて麻布シート（２）を織り、該麻布シート（２）を二つ折りにして袋（３）を形成し、袋内部に紙自体が溶解し易い紙袋（４ａ）、或いは、周囲を溶け易い糊（４ｂ）で糊付けした紙袋（４ａ）に吸水性ポリマー（４ｃ）を収納した紙袋収納型ポリマー（４）を入れて、該袋の横辺（１ａ）と底辺（１ｂ）を内縫いとし、他の開口部辺（１ｃ）を外縫いとし、吸水性ポリマー（４ｃ）の未使用時の湿気による固まりを防止した事を特徴とする湿気防止型吸水性土嚢袋。
【考案の詳細な説明】
【技術分野】
【０００１】
この考案は、土砂を用いない水害防止用であって、紙製袋で密閉した吸水性ポリマーを内蔵した湿気防止型吸水性土嚢袋に関するものである。
【背景技術】
【０００２】
従来、この種の土嚢袋は、大きく別けて化学繊維と、天然の麻綿からなる。そして、化学繊維一重の袋、麻の二重袋、麻と綿を合わせた袋があり、これらの袋は何れも欠点があった。
【０００３】
即ち、化学繊維の場合、膨張した袋の表面に、積み重ねた場合に、摩擦度が出ず、重ね難く、又、使用後に焼却する際、問題になる。
【０００４】
又、麻一重の袋は、内部の吸水した化学剤に圧力が掛かると、袋の外部に出易いという欠点があった。
【０００５】
更に、吸水して膨張した化学剤を出難くする為、麻の二重袋、又、麻と綿を合わせた二重袋が考えられるが、前者はコストが高くなり、後者はコストが高くなると共に、麻・綿の素材が異なる為、吸水した土嚢に安定性がないと思われる欠点があった。
【０００６】
そこで、これらの問題点を解決する為に考案されたのが先に出願した実用新案登録第３０７８０００号（吸水性土嚢袋）である。しかし、この吸水性土嚢袋にも新たな問題が発生した。それは、土嚢袋に入れる吸水性ポリマーが湿気をおびると固まってしまうという性質がある為、土嚢袋に直接入れると湿気の影響を受け易く、問題がある事が判明した。（特許文献１〜２参照。）
【特許文献１】実用新案登録第３０７８０００号
【特許文献２】実用新案登録第３１０８５１５号
【０００７】
従って、新たな問題を解決する為に、現状の良いところは残し、更に、対策案を盛り込んだ湿気に影響されない吸水性土嚢袋の開発が求められている。
【考案の開示】
【考案が解決しようとする課題】
【０００８】
そこで、上記課題を解決する為に、この考案は軽量で速く吸収でき、規定の重量を保ち、一定の圧力を加えても、袋内の化学剤が出なく、且つ、飽和状態時以外では湿気の影響を受け難い湿気防止型吸水性土嚢袋を開発・提供する事にある。
【課題を解決するための手段】
【０００９】
この課題を解決する為の手段として、この考案は、袋の素材の枡目を一定の枡目に形成し、積み重ねた際にも摩擦度のある素材を用い、使用後も廃棄や焼却が簡単で、しかも、吸水性ポリマーが未使用時に湿気の影響を受け難くする為に、溶解し易い紙製袋、或いは、周囲を溶け易い糊で糊付けした紙袋に吸水ポリマーを収納し、それを袋に入れて設けたものである。
【考案の効果】
【００１０】
この考案の効果として、袋の素材の枡目を一定の枡目に形成し、積み重ねた際にも摩擦度のある素材を用い、使用後も廃棄や焼却が簡単で、しかも、飽和状態時以外では吸水性ポリマーが湿気の影響を受け難くする為に、溶解し易い紙製袋或いは、周囲を溶け易い糊で糊付けした紙袋に吸水ポリマーを収納し、それを袋に入れて設けた事で、軽量で速く吸収でき、規定の重量を保ち、一定の圧力を加えても、袋内の化学剤が出なく、且つ、飽和状態時以外では湿気の影響を受け難く、しかも素早く袋が溶け、素早く袋が破れる為、吸水速度には悪影響が無い等、極めて有益なる効果を奏するものである。
【考案を実施するための最良の形態】
【００１１】
この考案の最良の形態として、吸水性ポリマーが膨張して固体化した時に、土嚢袋からはみ出ない様にする為に、土嚢袋の容量に適合した最適な分量に調整し、定量化する事が重要となる。
【実施例１】
【００１２】
そこで、この考案の一実施例を図１〜図４に基づいて詳述すると、０．５〜１．５ミリメートル径の麻糸（１）を用い、該麻糸を１００平方センチメートル枠の中に、縦糸（或いは横糸）４０〜６５本用い、横糸（或いは縦糸）５０〜７０本用いて麻布シート（２）を織り、該麻布シート（２）を二つ折りにして袋（３）を形成し、袋内部に紙自体が溶解し易い紙袋（４ａ）、或いは、周囲を溶け易い糊（４ｂ）で糊付けした紙袋（４ａ）に吸水性ポリマー（４ｃ）を収納した紙袋収納型ポリマー（４）を入れて、該袋の横辺（１ａ）と底辺（１ｂ）を内縫いとし、他の開口部辺（１ｃ）を外縫いとし、吸水性ポリマー（４ｃ）の未使用時の湿気による固まりを防止した事を特徴とする湿気防止型吸水性土嚢袋から構成される。
【００１３】
次に、この考案の詳細について説明すると、土嚢袋（３）は図１・図２に示す様に、直径０．５ｍｍ〜１．５ｍｍの麻糸（１）を用いて、縦糸と横糸を網状に織り込んだ麻布シート（２）を二つ折りにして袋（３）を形成し、且つ、該袋（３）の内部には図３に示す様に、水溶紙袋（４ａ）、或いは、周囲を溶け易い糊（４ｂ）で糊付けした紙袋（４ａ）に吸水性ポリマー（４ｃ）を収納した紙袋収納型ポリマー（４）を三個入れて、該袋の横辺（１ａ）と底辺（１ｂ）を内縫いとし、他の開口部辺（１ｃ）を外縫いとしたものである。
【００１４】
又、図４は図１のａ−ａ矢視断面図を示し、土嚢袋（３）の内部に紙袋収納型ポリマー（４）を三個収納した状態を示すものである。
【００１５】
又、図５はこの考案の使用状態を示す断面図である。
【産業上の利用可能性】
【００１６】
この考案の湿気防止型吸水性土嚢袋は、軽量で速く吸収でき、規定の重量を保ち、一定の圧力を加えても、袋内の化学剤が出なく、且つ、飽和状態時以外では湿気の影響を受け難い為、多くの防災関係市場に寄与する点で産業上の利用可能性を有する。
【図面の簡単な説明】
【００１７】
【図１】この考案の一実施例を示し、土嚢袋の平面図である。
【図２】この考案の一実施例を示し、土嚢袋の一部欠截要部拡大平面図である。
【図３】この考案の一実施例を示し、紙袋収納型ポリマーの一部欠截平面図である。
【図４】この考案の一実施例を示し、図１のａ−ａ矢視断面図である。
【図５】この考案の使用例を示し、断面図である。
【符号の説明】
【００１８】
１  麻糸
１ａ  袋の横辺
１ｂ  袋の底辺
１ｃ  袋の開口部辺
２  麻布シート
３  袋
４  紙袋収納型ポリマー
４ａ  紙袋
４ｂ  糊
４ｃ  吸水性ポリマー
【図１】
0003128193.tif 000003
【図２】
0003128193.tif 000004
【図３】
0003128193.tif 000005
【図４】
0003128193.tif 000006
【図５】
0003128193.tif 000007